(57)【要約】【課題】記憶しておくＵＩデータを少なくし、プログラムや機能変更時などに柔軟にＵＩを変更できるようにし、さらに、すべての受信可能な放送のＵＩを融合した形での提供も行えるようにする。【解決手段】カードチューナー接続検出部４がカードチューナー１１の挿入状態の検出処理を行う。システム制御部１は、カードチューナー１１がカードチューナーインターフェース部３に挿入されたかどうかの判断を行い、カードチューナー１１の挿入が検出された場合にはカードチューナー１１のメモリからＵＩデータおよびＵＩ設定データの取得を行い、データ記録部２に保存し、ＵＩ更新処理を終了する。【選択図】　　　　　図１
2004056654.tif 000002
【特許請求の範囲】
【請求項１】
カードチューナーをカードインターフェース部へ接続することにより機能拡張が可能なカードチューナー対応デジタル放送受信装置において、
対応する放送のユーザーインターフェース関連データを格納するデータ記録手段と、
前記カードインターフェース部にカードチューナーを接続したか否かを検出する接続検出手段とを備え、
前記接続検出手段により前記カードインターフェースにカードチューナーを接続したことを検出した場合、該カードチューナーのユーザーインターフェース関連データを前記データ記録手段に格納し、既に格納されているユーザーインターフェース関連データに追加変更を加えて融合させることを特徴とするカードチューナー対応デジタル放送受信装置。
【請求項２】
請求項１記載のカードチューナー対応デジタル放送受信装置において、
前記カードチューナー内に、対応する放送のユーザーインターフェース関連データを格納しておき、前記接続検出手段が前記カードチューナーの挿入を検出した場合、該ユーザーインターフェース関連データを取得することができることを特徴とするカードチューナー対応デジタル放送受信装置。
【請求項３】
請求項１記載のカードチューナー対応デジタル放送受信装置において、
デジタルテレビ放送のダウンロードサービスによるダウンロードデータを受信する受信手段を具備し、
前記接続検出手段が前記カードチューナーの挿入を検出した場合、前記受信手段によりカードチューナーに対応する放送のユーザーインターフェース関連データをダウンロードして取得することを特徴とするカードチューナー対応デジタル放送受信装置。
【請求項４】
請求項１記載のカードチューナー対応デジタル放送受信装置において、
前記接続検出手段がカードチューナーの抜き取りを検出した際に、前記データ記録手段に格納されているユーザーインターフェース関連データに対し、抜き取られたカードチューナーに対応した部分のみを削除することを特徴とするカードチューナー対応デジタル放送受信装置。
【請求項５】
請求項１乃至請求項４のいずれかに記載のカードチューナー対応デジタル放送受信装置において、
前記データ記録手段に格納されているユーザーインターフェース関連データのうち、対応する放送に関するユーザーインターフェース設定情報を、前記カードインターフェースに挿入されたカードチューナー内に保存することを特徴とするカードチューナー対応デジタル放送受信装置。
【発明の詳細な説明】
【０００１】
【発明の属する技術分野】
本発明は、デジタル放送受信装置に係わり、特にＩＣカード等の外部機器を接続することにより機能の拡張が可能なデジタル放送受信装置に関する。
【０００２】
【従来の技術】
機器にＩ／Ｏ機能を持ったＩＣカードのコネクタを設け、コネクタに各種の機能を持つＩＣカードを接続することで機器の機能を拡張する方法がある。
特開平５−１４１３３号公報と特開平５−２０２７２号公報には、ノートＰＣやビデオカメラにカード型のチューナーを接続することでＴＶとしての機能を持たせる技術が記載されている。
【０００３】
【発明が解決しようとする課題】
しかしながら、上記の手法では特定のＴＶチューナが接続されることを前提にＵＩ（ユーザーインターフェース）等のデータやドライバをあらかじめ接続側の機器に準備しておかなければならない。したがって、デジタル放送受信装置のチューナー機能を上記の方法により拡張することを考えた場合、ＢＳやＣＳのデジタル衛星放送や今後の開始される地上波デジタル放送等全ての放送への対応を行うためには、あらかじめ全ての放送に対応するＵＩ情報を持っておくことが必要となり、しかも、それぞれの放送によって専用のＵＩを表示する必要があった。したがって、それぞれの放送に対応したＵＩ情報を記憶するため、ソフトウェアの容量が大きくなってしまう問題があった。
【０００４】
本発明は、そのような状況に鑑みてなされたもので、記憶しておくＵＩデータを少なくし、プログラムや機能変更時などに柔軟にＵＩを変更できるようにし、さらに、すべての受信可能な放送のＵＩを融合した形での提供も行えるようにしたカードチューナー対応デジタル放送受信装置を提供することを目的とする。
【０００５】
【課題を解決するための手段】
本発明はこうした課題を解決するための手段を提供するもので、各発明は、以下の技術手段を構成する。
【０００６】
本発明は、カードチューナーをカードインターフェース部へ接続することにより機能拡張が可能なカードチューナー対応デジタル放送受信装置において、
対応する放送のユーザーインターフェース関連データを格納するデータ記録手段と、前記カードインターフェース部にカードチューナーを接続したか否かを検出する接続検出手段とを備え、前記接続検出手段により前記カードインターフェースにカードチューナーを接続したことを検出した場合、該カードチューナーのユーザーインターフェース関連データを前記データ記録手段に格納し、既に格納されているユーザーインターフェース関連データに追加変更を加えて融合させることを特徴とする。
ここで、ユーザーインターフェース関連データとは、ユーザーインターフェース自体のデータや、ユーザーインターフェースを設定するデータなどをいう。
【０００７】
本発明は、前記カードチューナー対応デジタル放送受信装置において、
前記カードチューナー内に、対応する放送のユーザーインターフェース関連データを格納しておき、前記接続検出手段が前記カードチューナーの挿入を検出した場合、該ユーザーインターフェース関連データを取得することができることを特徴とする。
【０００８】
本発明は、前記カードチューナー対応デジタル放送受信装置において、
デジタルテレビ放送のダウンロードサービスによるダウンロードデータを受信する受信手段を具備し、前記接続検出手段が前記カードチューナーの挿入を検出した場合、前記受信手段によりカードチューナーに対応する放送のユーザーインターフェース関連データをダウンロードして取得することを特徴とする。
【０００９】
本発明は、前記カードチューナー対応デジタル放送受信装置において、
前記接続検出手段がカードチューナーの抜き取りを検出した際に、前記データ記録手段に格納されているユーザーインターフェース関連データに対し、抜き取られたカードチューナーに対応した部分のみを削除することを特徴とする。
【００１０】
本発明は、前記カードチューナー対応デジタル放送受信装置において、
前記データ記録手段に格納されているユーザーインターフェース関連データのうち、対応する放送に関するユーザーインターフェース設定情報を、前記カードインターフェースに挿入されたカードチューナー内に保存することを特徴とする。
【００１１】
【発明の実施の形態】
本発明によるカードチューナー対応デジタル放送受信装置の実施形態を図に基づいて以下に説明する。
【００１２】
図１は、本発明によるカードチューナー対応デジタル放送受信装置の実施形態を示すブロック図である。１はＣＰＵなどにより構成されるシステム制御部でありデジタル放送受信装置全体１０の制御を行う。２は書き換え可能なメモリにより構成されるデータ記録部であり、ＵＩ等のデータを格納する。３はカードチューナーインターフェース部であり、デジタル送受信装置１０とカードチューナー１１とのインターフェースを図る。４はカードチューナー接続検出部であり、カードチューナーインターフェース部３にカードチューナー１１が挿入されているかどうかを検出する。５はチューナー部であり、外部からのアンテナ信号を復調する。６はＭＰＥＧデコード部であり、ＭＰＥＧ−ＴＳデータの復号を行う。７は映像出力部であり、映像信号を外部に出力する。
【００１３】
図２に図１に示すカードチューナー対応デジタル放送受信装置でのＵＩデータの更新処理手順を示すフローチャートを示す。
【００１４】
まず、ステップＳ１においてカードチューナー接続検出部４がカードチューナー１１の挿入状態の検出処理を行う。次にステップＳ２で、システム制御部１は、カードチューナー１１がカードチューナーインターフェース部３に挿入されたかどうかの判断を行い、カードチューナー１１の挿入が検出された場合にはステップ３にてカードチューナー１１のデータ記録部であるメモリからＵＩデータおよびＵＩ設定データの取得を行い、ステップＳ４にてデータ記録部２に保存し、ＵＩ更新処理を終了する。
【００１５】
ステップＳ２において、カードチューナー接続検出部４によりカードチューナー１１の挿入が検出されなかった場合には、ステップＳ５に進み、カードチューナー接続検出部４によりカードチューナー１１が抜き取られたかどうかの検出を行う。ここで、カードチューナー１１の抜き取りが検出された場合には、ステップ６において、システム制御部１は、データ記録部２に記録されているカードチューナー用のＵＩデータおよびＵＩ設定データのみの削除を行い、ＵＩ更新処理を終了する。
【００１６】
システム制御部１は、カードチューナー１１の挿抜が検出されない場合には、ステップＳ７においてカードチューナー１１が既に挿入されているかどうかをカードチューナー接続検出部４の検出結果に基づいて判断を行い、既に挿入されている場合にはステップＳ８においてカードチューナー用のＵＩの設定をユーザーが変更しているかどうかを確認する。ステップ９において、ＵＩの設定に変更が加えられていると判断した場合には、ステップ１０にてＵＩの設定情報をカードチューナー１１のメモリに保存し、ＵＩの更新処理を終了する。
【００１７】
図３は、ＵＩデータの他の更新処理手順を示すフローチャートである。この処理手順は図２とほぼ同じであるが、ステップＳ１３の部分が異なる。すなわちカードチューナーの挿入を検出した場合（Ｓ２）、デジタルテレビ放送のダウンロードサービスによりＵＩデータの取得を行う（Ｓ１３）。このようにすることにより、カードチューナー対応デジタル放送受信装置１０に特定の放送に対応するＵＩデータをあらかじめ準備しておかなくても良いため、デジタル放送受信装置に搭載するソフトウェアの容量を縮小することができる。
【００１８】
本カードチューナー対応デジタル放送受信装置の使用例について説明する。
この使用例では、カードチューナー１１にデータ記録部であるメモリ部１２を設け、そのメモリ部１２にＵＩデータを格納しておき、カードチューナー１１がデジタル放送受装置１０に挿入された際にそのＵＩデータを取得し、カードチューナー対応デジタル放送受信装置１０に元から備わっているＵＩとカードチューナー内から取得したＵＩを融合させる。
なお、図３に示したように、ＵＩデータやＵＩ設定データ等のＵＩ関連データを取得するには、デジタルテレビ放送からダウンロードする手法もあるが、以下ではカードチューナー１１のメモリ部から取得するものとして説明する。
【００１９】
図４は、この使用例におけるカードチューナーを示すブロック図である。
図４（ａ）はＣＳデジタル放送用のカードチューナー１１ａの説明図である。１３ａはＣＳデジタルチューナー用のチューナーであり、ＣＳデジタル放送の信号の復調を行う。１２ａはメモリ部であり、ＣＳデジタル放送用のＵＩデータおよびＵＩ設定情報が保存されている。本データはカードチューナー対応デジタル放送受信装置１０にＣＳデジタル放送用のＵＩを融合させるために使用する。
【００２０】
図４（ｂ）は地上波デジタル放送用のカードチューナー１１ｂの説明図である。１３ｂは地上波デジタルチューナー用のチューナーであり、地上波デジタル放送の信号の復調を行う。１２ｂはメモリ部であり、地上波デジタル放送用のＵＩデータおよびＵＩ設定情報が保存されている。本データはカードチューナー対応デジタル放送受信装置１０に地上波デジタル放送用のＵＩを融合させるために使用する。
【００２１】
図５は、図４に示した２種類のカードチューナーをカードチューナー対応デジタル放送受信装置１０に対して用いる場合の説明図である。
【００２２】
カードチューナー１１ａ，１１ｂをカードチューナー対応デジタル放送受信装置１０に挿入すると、デジタル放送受信装置側でチューナーの挿入を検出し、ＵＩデータの組み込みを行う。このようにして各カードチューナー毎にＵＩデータを変更することが可能になる。これらの操作や処理についてはテレビ２０の画面に表示される。
【００２３】
図６は、図５のカードチューナーとＢＳデジタル放送受信装置を使用した場合のＵＩ（番組表）の融合を示す説明図である。
カードチューナー１１が接続される前はＢＳデジタル放送用の番組表２１のみしか表示されないが、地上波デジタル放送用のカードチューナー１１ｂを接続すると、ＢＳデジタル放送の番組表だけでなく自動的に地上波デジタル放送用の番組も融合されて番組表２２が表示されるようになる。
【００２４】
図７は、ＵＩ設定情報の変更状況を示す説明図である。
１０ａおよび１０ｂは別々のカードチューナー対応ＢＳデジタル放送受信装置を表し、それぞれ３１および４１のチャンネル登録テーブルをデータ記録部に持っている。このチャンネル登録テーブル３１，４１は、キー番号とそのキーを押した時に選局される放送局の関係を表すテーブルである。デジタル放送受信装置１０ａ，１０ｂではＢＳデジタル放送のみにしか対応していないため、ＢＳデジタル放送の放送局が各キーに登録されている。ここで、ＢＳデジタル受信装置１０ａに地上波デジタル放送用のカードチューナー１１ｂを挿したとすると、その受信装置１０ａは地上波デジタル放送の視聴もできるようになるので、番組登録テーブルを３２のように書き換える事が可能である。この変更情報は地上波デジタル放送用カードチューナー１１ｂにも記録される。
【００２５】
次に地上波デジタル放送用カードチューナー１１ｂをカードチューナー対応ＢＳデジタル放送受信装置１０ａから抜き、カードチューナー対応ＢＳデジタル放送受信装置１０ｂに挿した場合、カードチューナー１１ｂに保存されているチャンネルテーブルの変更情報がカードチューナー対応ＢＳデジタル放送受信装置１０ｂに反映され、自動的に番組登録テーブル４２に更新される。一方、地上波デジタル放送用カードチューナー１１ｂが抜かれたＢＳデジタルチューナー１０ａのチャンネル登録テーブル３２はテーブル３１に自動的に戻る。この様にすることで、カードの抜き差し毎にユーザーがＵＩの設定を変更する手間が省けるといった利点がある。
【００２６】
【発明の効果】
上記にて説明された本発明により以下の効果がもたらされる。
【００２７】
本発明に係るカードチューナー対応デジタル放送受信装置は、接続検出手段によりカードインターフェースにカードチューナーを接続したことを検出した場合、該カードチューナーのＵＩ関連データをデータ記録手段に格納し、既に格納されているＵＩ関連データに追加変更を加えて融合させるので、受信可能なすべての放送のＵＩ関連データを融合したＵＩを提供できる。
【００２８】
本発明に係るカードチューナー対応デジタル放送受信装置は、カードチューナー内に、対応する放送のＵＩ関連データを格納しておき、接続検出手段がカードチューナーの挿入を検出した場合、該ＵＩ関連データを取得するので、カードチューナー対応デジタル放送受信装置本体にあらかじめカードチューナーにて対応する放送用のＵＩ関連データを格納しておかなくて済む。
【００２９】
本発明に係るカードチューナー対応デジタル放送受信装置は、接続検出手段がカードチューナーの挿入を検出した場合、受信手段によりカードチューナーに対応する放送のＵＩ関連データをダウンロードして取得するので、カードチューナー対応デジタル放送受信装置本体にあらかじめカードチューナーにて対応する放送用のＵＩ関連データを格納しておかなくて済む。また、ダウンロードによって、最新のＵＩ関連データを構築することが可能となる。
【００３０】
本発明に係るカードチューナー対応デジタル放送受信装置は、接続検出手段がカードチューナーの抜き取りを検出した際に、データ記録手段に格納されているＵＩ関連データに対し、抜き取られたカードチューナーに対応した部分のみを削除するので、カードチューナーが抜かれた際に対応する放送用のＵＩ関連データが削除されるため格納されているＵＩ関連データの有効活用ができ、さらに、不要なメニューや設定できない項目等が表示されないようにすることが可能なため、ユーザーの使い勝手を向上させることが可能である。
【００３１】
本発明に係るカードチューナー対応デジタル放送受信装置は、データ記録手段に格納されているＵＩ関連データのうち、対応する放送に関するＵＩ設定情報を、前記カードインターフェースに挿入されたカードチューナー内に保存するので、カードチューナー内にＵＩ設定情報を保存しておくことが可能なため、カードチューナーを挿す毎に対応した放送用の設定を行う必要が無くなり、ユーザーの使い勝手を向上させることが可能である。
【図面の簡単な説明】
【図１】本発明によるカードチューナー対応デジタル放送受信装置の実施形態を示すブロック図である。
【図２】カードチューナー対応デジタル放送受信装置でのＵＩの更新処理手順を示すフローチャートである。
【図３】カードチューナー対応デジタル放送受信装置でのＵＩの他の更新処理手順を示すフローチャートである。
【図４】カードチューナーを示すブロック図である。
【図５】２種類のカードチューナーをカードチューナー対応デジタル放送受信装置１０に対して用いる場合の説明図である。
【図６】カードチューナーとＢＳデジタル放送受信装置を使用した場合のＵＩ（番組表）の融合を示す説明図である。
【図７】ＵＩ設定情報の変更状況を示す説明図である。
【符号の説明】
１　システム制御部
２　データ記録部
３　カードチューナーインターフェース
４　カードチューナー接続検出部
５　チューナー部
６　ＭＰＥＧデコード部
７　映像出力部
１１　カードチューナー
【図１】
2004056654.tif 000003
【図２】
2004056654.tif 000004
【図３】
2004056654.tif 000005
【図４】
2004056654.tif 000006
【図５】
2004056654.tif 000007
【図６】
2004056654.tif 000008
【図７】
2004056654.tif 000009